(57)【要約】【課題】携帯に便利で且つその使用の便利性を向上できるとともに、コストの削減と生産効率の向上を図れる電気スタンドの構造を提供すること。【解決手段】台座とアームとシェードとを含み、シェードは第１のシェード本体と第２のシェード本体とからなり、第１のシェード本体と第２のシェード本体とが任意に着脱自在に結合し、第２のシェード本体を携帯式の照明設備として使用する。【選択図】図１
0003153221.tif 000002
【実用新案登録請求の範囲】
【請求項１】
台座と、前記台座に接続されるアームと、前記アームに接続されるシェードとを有し、前記台座には電源を提供するための電源線が設けられた電気スタンドの構造であって、
前記シェードは、複数の第１の結合部が設けられた第１のベースと、
前記第１の結合部に対応する複数の第２の結合部が設けられた第２のベースとを有するシェードベースと、
前記第１のベースに対応する第１のカバー及び前記第２のベースに対応する第２のカバーを有し、前記第２のカバーに開口が設けられ、前記第１のベースと前記第１のカバーとが接続して第１のシェード本体が形成され、前記第２のベースと前記第２のカバーとが接続して第２のシェード本体が形成され、前記第１の結合部と前記第２の結合部とが固定されることにより、前記第１のシェード本体と前記第２のシェード本体とが接続して収容空間が形成されるように構成されたシェードカバーと、
前記収容空間に設けられ、電源部材と前記電源線に接続するための電気接続部材とが接続され、前記第１の結合部と前記第２の結合部とが互いに着脱自在に結合されることで、前記第１のカバーと前記第２のカバーとを互いに着脱自在に結合させ、且つ、前記電気接続部材も互いに着脱自在に結合され、前記光源部材が提供する光線を前記開口から出射させる光源部材とを含むことを特徴とする電気スタンドの構造。
【請求項２】
前記第１の結合部は弾性部材であり、前記第２の結合部は開孔であることを特徴とする請求項１に記載の電気スタンドの構造。
【請求項３】
前記シェードベースと前記シェードカバーとは、締め付け部材で固定して接続されることを特徴とする請求項１に記載の電気スタンドの構造。
【請求項４】
前記締め付け部材はねじであることを特徴とする請求項３に記載の電気スタンドの構造。
【請求項５】
前記第２のカバーは、さらに、前記開口に設けられた透明カバーを有することを特徴とする請求項１に記載の電気スタンドの構造。
【請求項６】
前記光源部材は、発光ダイオードを有する回路基板及び制御回路基板に接続されるランプのうちから選ばれた何れか一つであることを特徴とする請求項１に記載の電気スタンドの構造。
【請求項７】
前記電源部材はバッテリであることを特徴とする請求項１に記載の電気スタンドの構造。
【請求項８】
前記電源部材は、凹凸型コネクタ及び導電板ばねのうちから選ばれた何れか一つであることを特徴とする請求項１に記載の電気スタンドの構造。
【請求項９】
前記第１のカバーは、第１の位置決め部を設置し、前記第２のカバーは、前記第１の位置決め部に対応する第２の位置決め部を設置し、前記第１の位置決め部と前記第２の位置決め部３とが固定されていることを特徴とする請求項１に記載の電気スタンドの構造。
【考案の詳細な説明】
【技術分野】
【０００１】
本考案は電気スタンドに係り、特に、携帯式照明設備としてシェード（lampshade）が分離可能な電気スタンドの構造に関するものである。
【背景技術】
【０００２】
現在、人々は長期に亘る光不足による視力低下や近視問題を回避するため、例えば、電気スタンドのようなランプ照明設備により十分な光線を提供することで、光の弱い角隅部や、光が遮断された位置へ照明できるように改善が進められている。
【０００３】
図６は、従来の電気スタンドの構造を示す斜視図である。図６に示すように、従来の電気スタンド４００は、台座４１０、アーム４２０及びシェード４３０を含み、台座４１０がアーム４２０の一端に接続され、シェード４３０がアーム４２０の他端に接続されている。そして使用に当たっては、台座４１０をテーブルの台面に置き、ユーザの要求に応じてシェード４３０が適切な角度となるようにアーム４２０の角度を調整している。しかしながら、電気スタンド４００は卓上に置いた形態での使用となるため、携帯に不便であり使用の便利性が低い。
【０００４】
本考案は前記した点に鑑みて成されたもので、携帯に便利で且つその使用の便利性を向上できるとともに、コストの削減と生産効率の向上を図れる電気スタンドの構造を提供することにある。
【考案の概要】
【考案が解決しようとする課題】
【０００５】
本考案の主な目的は、第１のシェード本体と第２のシェード本体とからなるシェードを有し、第１のシェード本体と第２のシェード本体とが任意に着脱可能で、第２のシェード本体を携帯式の照明設備とし、操作便利や、高い使用の便利性の効果を有し、本考案の実用性及び進歩性が向上される電気スタンドの構造を提供することにある。
【課題を解決するための手段】
【０００６】
前記目的を達成するために、本考案による電気スタンドの構造は、台座と、前記台座に接続されるアームと、前記アームに接続されるシェードとを含み、前記シェードは、複数の第１の結合部が設けられた第１のベースと、前記第１の結合部に対応する複数の第２の結合部が設けられた第２のベースとを有するシェードベースと、前記第１のベースに対応する第１のカバー及び前記第２のベースに対応する第２のカバーを有し、前記第１のカバーに第１の位置決め部が設けられ、前記第２のカバーに開口が設けられ、前記第１のベースと前記第１のカバーとが接続して第１のシェード本体が形成され、前記第２のベースと前記第２のカバーとが接続して第２のシェード本体が形成され、前記第１の結合部と前記第２の結合部とが固定されることにより、前記第１のシェード本体と前記第２のシェード本体とが接続して収容空間が形成されるように構成されたシェードカバーと、前記収容空間に設けられ、電源部材と前記電源線に接続するための電気接続部材とが接続され、前記第１の結合部と前記第２の結合部とが互いに着脱自在に結合されることで、前記第１のカバーと前記第２のカバーとを互いに着脱自在に結合させ、且つ、前記電気接続部材も互いに着脱自在に結合され、前記光源部材が提供する光線を前記開口から出射させる光源部材とを含む。よって、操作便利かつ高い使用の便利性の効果を有する。
【０００７】
本考案の特徴及び技術内容を深く且つ具体的な理解できるため、以下に本考案に関わる詳しい説明及び添付図面を参照するが、それらの添付図面が参考及び説明のみに使われ、本考案の主張範囲を狭義的に局限するものではないことは言うまでもないことである。
【図面の簡単な説明】
【０００８】
【図１】本考案による電気スタンドの構造を示す斜視図である。
【図２】本考案による電気スタンドの構造を示す分解斜視図である。
【図３】本考案による電気スタンドの構造のシェードベース及びシェードカバーの構造を示す図ある。
【図４】本考案による電気スタンドの構造のシェードベース及びシェードカバーの構造を示す図ある。
【図５】本考案による電気スタンドの構造のシェードベース及びシェードカバーの使用状態を示す図ある。
【図６】従来の電気スタンドの構造を示す図である。
【考案を実施するための最良の形態】
【０００９】
図１〜図５は、本考案による電気スタンドの構造の斜視図、分解斜視図、及びシェードベース及びシェードカバーの構造を示す図である。
該電気スタンドの構造は、台座１００と、台座１００に接続されるアーム２００と、前記アーム２００に接続されるシェード３００とを含む。台座１００には電源を提供するための電源線が設けられる。シェード３００は、シェードベース３１０と、シェードカバー３２０と、光源部材３４０とを含み、シェードベース３１０とシェードカバー３２０とが、例えば、ねじなどの締め付け部材３０１で締め付けされるとともに収容空間３３０が形成される。光源部材３４０が該収容空間３３０内に設置される。
【００１０】
シェードベース３１０は、第１のベース３１１と第２のベース３１２とを有する。第１のベース３１１は、複数の第１の結合部３１１１（例えば、ばね）を設置する。第２のベース３１２は、第１の結合部３１１１に対応する複数の第２の結合部３１２１（例えば、開口）を設置した。
【００１１】
シェードカバー３２０は、第１のベース３１１に対応する第１のカバー３２１及び第２のベース３１２に対応する第２のカバー３２２を有する。第１のカバー３２１は、第１の位置決め部３２１１を設置する。第２のカバー３２２は、第１の位置決め部３２１１に対応する第２の位置決め部３２２１と、開口３２２２と、開口３２２２に設けられた透明カバー３２２３とを有し、第１のベース３１１と第１のカバー３２１とが、締め付け部材３０１で固定接続して第１のシェード本体３０２を形成し、第２のベース３１２と第２のカバー３２２とが、締め付け部材３０１で固定接続して第２のシェード本体３０３を形成する。これらの第１の結合部３１１１とこれらの第２の結合部３１２１とを、第１の位置決め部３２１１と第２の位置決め部３２２１とをそれぞれ固定して、第１のシェード本体３０２と第２のシェード本体３０３とを接続させて収容空間３３０を形成する。
【００１２】
光源部材３４０は、発光ダイオードを有する回路基板或いは制御回路基板に接続されるランプ等の光線付与可能の装置であって、シェードベース３１０とシェードカバー３２０とが接続して形成された収容空間３３０内に設けられる。光源部材３４０が提供する光線は、シェードカバー３２０の開口３２２２から出射できる。光源部材３４０は、電源部材３４１（例えば、バッテリ）と電気接続部材３４２（凹凸型コネクタまたは導電板ばね等の導電装置）を有し、電気接続部材３４２で台座１００の電源線１１０に接続して電源を提供できるとともに、電源部材３４１で電源を蓄電できる。これらの第１の結合部３１１１とこれらの第２の結合部３１２１とを分離させることによって、第１のシェード本体３０２と第２のシェード本体３０３とを分離させ、かつ、電気接続部材３４２と電源線１１０とを分離させて、電源部材３４１で光源部材３４０に電源を提供し、光源部材３４０が提供する光線を開口３２２２から出射させる。
【００１３】
図４及び図５は、本考案による電気スタンドの構造のシェードベース及びシェードカバーの使用状態を示す図ある。図４及び図５に示すように、まず、光源部材３４０をシェードカバー３２０の開口３２２２内に対応して設置する。シェードベース３１０の第１のベース３１１をシェードカバー３２０の第１のカバー３２１に対応させ、締め付け部材３０１で固定接続して第１のシェード本体３０２を形成する。同時に、シェードベース３１０の第２のベース３１２をシェードカバー３２０の第２のカバー３２２に対応させ、締め付け部材３０１で固定接続して第２のシェード本体３０３を形成する。さらに、これらの第１の結合部３１１１とこれらの第２の結合部３１２１とを対応して固定する。第１の位置決め部３２１１と第２の位置決め部３２２１もそれぞれ対応して固定されることによって、第１のシェード本体３０２と第２のシェード本体３０３とを接続する。すなわち、シェードベース３１０とシェードカバー３２０とが接続して形成された収容空間３３０内に光源部材３４０を設置する。光源部材３４０が提供する光線が、シェードカバー３２０の開口から出射して照明設備とする。
【００１４】
また、これらの係合部材３１１１は、ばねであるので、ユーザは、これらの係合部材３１１１を押圧して、係合部材３１１１をこれらの第２の結合部３１２１から離脱させる。第１の位置決め部３２１１と第２の位置決め部３２２１をも互いに離脱させることによって、第１のシェード本体３０２と第２のシェード本体３０３とを分離させる。光源部材３４０の電気接続部材３４２は、凹凸型コネクタまたは導電板ばね等の導電装置であるため、第１のシェード本体３０２と第２のシェード本体３０３とが分離される際、電源部材３４１も電源線１１０から分離され易くなる。これらが互いに着脱自在に結合する（例えば、取り付けまたは取り外し）時に操作が便利となる。さらに光源部材３４０が電源部材３４１を設置して電源を蓄電しているので、第１のシェード本体３０２と第２のシェード本体３０３とが分離して、電源部材３４１で光源部材３４０に電源を提供できる。光源部材３４０が提供する光線を第２のカバー３２２の開口３２２２から出射させ、シェード３００の第２のシェード本体３０３を携帯式の照明設備として使用できる。ユーザは使用性に応じて容易に携帯でき、その便利性が向上する。
【００１５】
以上のように、本考案による電気スタンドの構造は、台座とシェードとを接続するアームを含み、シェードは、第１のシェード本体と第２のシェード本体とを有し、第１のシェード本体は、複数の第１の結合部及び第１の位置決め部を有し、第２のシェード本体は、複数の第２の結合部及び第２の位置決め部を有し、これらの第１の結合部とこれらの第２の結合部とが対応して固定されることによって、第１のシェード本体と第２のシェード本体とを接続させることができ、同時に、ユーザは、これらの係合部材を押圧して、これらの係合部材をこれらの第２の結合部から離脱させるとともに、第１の位置決め部と第２の位置決め部をも互いに離脱させることで、第１のシェード本体と第２のシェード本体とを分離させ、且つ、光源部材が電源部材を設置して電源を蓄電しているので、第１のシェード本体と第２のシェード本体とが分離して、電源部材で光源部材に電源を提供し、光源部材が提供する光線を第２のカバーの開口から出射させ、シェードの第２のシェード本体を携帯式の照明設備として使用され、これらが互いに着脱自在に結合する（例えば、取り付けまたは取り外し）時に操作便利になり、高い使用の便利性の効果を有する。
【００１６】
前記に開示した構成は、単に本考案の好ましい実施例に過ぎず、本考案の特徴を限定するものではなく、当該技術分野における通常の知識を有する者が適宜行う変換や修飾等も本考案に含まれるべきことは言うまでもない。
【符号の説明】
【００１７】
１００・・・・・・台座
１１０・・・・・・電源線
２００・・・・・・アーム
３００・・・・・・シェード
３０１・・・・・・締め付け部材
３０２・・・・・・第１のシェード本体
３０３・・・・・・第２のシェード本体
３１０・・・・・・シェードベース
３１１・・・・・・第１のベース
３１２・・・・・・第２のベース
３１１１・・・・・第１の結合部
３１２１・・・・・第２の結合部
３２０・・・・・・シェードカバー
３２１・・・・・・第１のカバー
３２２・・・・・・第２のカバー
３２１１・・・・・第１の位置決め部
３２２１・・・・・第２の位置決め部
３２２２・・・・・開口
３２２３・・・・・透明カバー
３３０・・・・・・収容空間
３４０・・・・・・光源部材
３４１・・・・・・電源部材
３４２・・・・・・電気接続部材
４００・・・・・・電気スタンド
４１０・・・・・・台座
４２０・・・・・・アーム
４３０・・・・・・シェード
【図１】
0003153221.tif 000003
【図２】
0003153221.tif 000004
【図３】
0003153221.tif 000005
【図４】
0003153221.tif 000006
【図５】
0003153221.tif 000007
【図６】
0003153221.tif 000008